(57)【要約】      （修正有）【課題】フィルター機能を有し、快適にマスクを掛けられるマスクフレームを提供する。【解決手段】マスクフレーム１は、本体１０及び少なくとも１つの取付部１２を備えるとともにマスクを支える。本体は、突起を有する支持構造であり、少なくとも１つの貫通孔１０３と、少なくとも２つの固定部１０４とを有し、内側に収容部が設けられる。取付部１２は、中空状である上、スイッチ部１２１及びＵＳＢ接続ポート１２２を有する。取付部は本体の収容部内に配設される。本体の突起の上端には左通気孔及び右通気孔１０１が形成される。左通気孔と右通気孔との間には、左通気孔と右通気孔とを分離するサポート部１０２が設けられる。本体の下端両側及び下部には複数の貫通孔が形成されている。本体の収容部の下端両側には取付孔１０５ａがそれぞれ設けられる。取付部のスイッチ部及びＵＳＢ接続ポートは取付孔からそれぞれ露出される。【選択図】図４
0003235287.tif 000002
【実用新案登録請求の範囲】
【請求項１】
本体及び少なくとも１つの取付部を備えるとともに、マスクを支えるマスクフレームであって、
前記本体は、突起を有する支持構造であり、少なくとも１つの貫通孔と、少なくとも２つの固定部と、を有し、内側に収容部が設けられ、
前記取付部は、中空状である上、スイッチ部及びＵＳＢ接続ポートを有し、
前記取付部は、前記本体の前記収容部内に配設されることを特徴とする、マスクフレーム。
【請求項２】
前記本体の突起の上端には、左通気孔及び右通気孔が形成され、
前記左通気孔と前記右通気孔との間には、前記左通気孔と前記右通気孔とを分離するサポート部が設けられ、
前記本体の下端両側及び下部には、複数の貫通孔が形成されていることを特徴とする請求項１に記載のマスクフレーム。
【請求項３】
前記本体の前記収容部の下端両側には、取付孔がそれぞれ設けられ、前記取付部の前記スイッチ部及び前記ＵＳＢ接続ポートは、前記取付孔からそれぞれ露出されることを特徴とする請求項１に記載のマスクフレーム。
【請求項４】
前記本体の前記固定部は、弾性を有するクリップであることを特徴とする請求項１に記載のマスクフレーム。
【請求項５】
前記取付部は、複数の通気孔を有することを特徴とする請求項１に記載のマスクフレーム。
【請求項６】
前記取付部は、２ピース式の構造である上、前記取付部の内部には、マイナスイオン発生裝置が設けられ、前記取付部の前記スイッチ部及び前記ＵＳＢ接続ポートにより前記マイナスイオン発生装置を操作することを特徴とする請求項１に記載のマスクフレーム。
【請求項７】
前記本体の両側には、支持部がそれぞれ設けられ、
前記支持部には、接続部が設けられ、
前記接続部は、前記本体の前記固定部と結合され、前記支持部と前記本体とが接続されることを特徴とする請求項１に記載のマスクフレーム。
【請求項８】
支持部は、曲率を有するプレートであり、
前記プレートには、少なくとも１つの中空部が設けられ、
前記支持部が有する接続部は、柱体である上、前記柱体の直径より大きな抜け防止部が上下両端にそれぞれ設けられることを特徴とする請求項１に記載のマスクフレーム。
【考案の詳細な説明】
【技術分野】
【０００１】
本考案は、マスクフレームに関するものであり、さらに詳しくは、改良型マスクフレームに関するものである。
【背景技術】
【０００２】
日常生活では、人々は空気中に含まれる浮遊粒子、細菌などを吸い込むことを防ぐために、マスクを掛けて健康を維持していたが、近年、新型コロナなどの感染症の広まりに伴い、自分又は第三者の安全を確保するために、マスクは外出する際の必需品となっており、マスクを使用する頻度及び時間も大幅に増加している。
【０００３】
しかしマスクを長時間掛け続けると、マスクに汗、唾液、外界の水分が付着して濡れてフィルター効果が低下してしまう上、マスク本体が一定の防水機能を備えているが、頻繁にマスクを交換しなければならない上、マスクを掛けるときに、呼吸をスムーズに行えなくなり、暑苦しく感じたり肌が不快に感じたりし、最悪の場合、肌がアレルギーになったり肌荒れやかぶれが起きたりすることがあった。
【０００４】
また、従来のマスクフレームは固定式であり、支持力には限界があり、様々な顔の形に対応することができなかったため、不便であった。
【０００５】
そのため、上述したような従来技術の問題点を改善することができる技術が求められていた。
【考案の概要】
【考案が解決しようとする課題】
【０００６】
従って、本考案の課題は、取付けが容易で調整機能を有し、マスクを押上げて空間を作り出すことによりマスクが肌に直接触れる機会を減らすことができる上、フィルター機能を有するため、ユーザが快適にマスクを掛けることができるマスクフレームを提供することにある。
【課題を解決するための手段】
【０００７】
上記課題を解決するために、本考案の第１の形態によれば、本体及び少なくとも１つの取付部を備えるとともに、マスクを支えるマスクフレームであって、前記本体は、突起を有する支持構造であり、少なくとも１つの貫通孔と、少なくとも２つの固定部と、を有し、内側に収容部が設けられ、前記取付部は、中空状である上、スイッチ部及びＵＳＢ接続ポートを有し、前記取付部は、前記本体の前記収容部内に配設されることを特徴とする、マスクフレームを提供する。
【０００８】
前記本体の突起の上端には、左通気孔及び右通気孔が形成され、前記左通気孔と前記右通気孔との間には、前記左通気孔と前記右通気孔とを分離するサポート部が設けられ、前記本体の下端両側及び下部には、複数の貫通孔が形成されていることが好ましい。
【０００９】
前記本体の前記収容部の下端両側には、取付孔がそれぞれ設けられ、前記取付部の前記スイッチ部及び前記ＵＳＢ接続ポートは、前記取付孔からそれぞれ露出されることが好ましい。
【００１０】
前記本体の前記固定部は、弾性を有するクリップであることが好ましい。
【００１１】
前記取付部は、複数の通気孔を有することが好ましい。
【００１２】
前記取付部は、２ピース式の構造である上、前記取付部の内部には、マイナスイオン発生裝置が設けられ、前記取付部の前記スイッチ部及び前記ＵＳＢ接続ポートにより前記マイナスイオン発生装置を操作することが好ましい。
【００１３】
前記本体の両側には、支持部がそれぞれ設けられ、前記支持部には、接続部が設けられ、前記接続部は、前記本体の前記固定部と結合され、前記支持部と前記本体とが接続されることが好ましい。
【００１４】
支持部は、曲率を有するプレートであり、前記プレートには、少なくとも１つの中空部が設けられ、前記支持部が有する接続部は、柱体である上、前記柱体の直径より大きな抜け防止部が上下両端にそれぞれ設けられることが好ましい。
【図面の簡単な説明】
【００１５】
【図１】本考案の一実施形態に係るマスクフレームを示す斜視図（１）である。
【図２】本考案の一実施形態に係るマスクフレームを示す斜視図（２）である。
【図３】本考案の一実施形態に係るマスクフレームを示す斜視図（３）である。
【図４】本考案の一実施形態に係るマスクフレームを示す分解斜視図（１）である。
【図５】本考案の一実施形態に係るマスクフレームを示す分解斜視図（２）である。
【図６】本考案の一実施形態に係るマスクフレームを示す分解斜視図（３）である。
【図７】本考案の一実施形態に係るマスクフレームの使用状態の説明図である。
【考案を実施するための形態】
【００１６】
図１〜図７を参照する。図１〜図７に示すように、本考案の一実施形態に係るマスクフレーム１は、少なくとも本体１０及び取付部１２から構成されてなる。本体１０は、突起を有する支持構造である。本体１０の突起の上端には、左通気孔１００及び右通気孔１０１が形成されている。左通気孔１００と右通気孔１０１との間には、左通気孔１００と右通気孔１０１とを分離するサポート部１０２が設けられている。本体１０の下端両側及び下部には、複数の貫通孔１０３が形成されている。本体１０は、両側に固定部１０４が設けられ、内側に収容部１０５が設けられている。取付部１２は、中空状である上、スイッチ部１２１及びＵＳＢ接続ポート１２２を有する。支持部１１は、数が２つであり、本体１０の両側にそれぞれ設けられる。上述した取付部１２は、上述した本体１０の収容部１０５内に配設される。上述した支持部１１は、それが備えた接続部１１１が、上述した本体１０の固定部１０４と結合され、支持部１１と本体１０とを接続する。
【００１７】
本体１０の固定部１０４は、弾性を有するクリップである。本体１０の収容部１０５の下端両側には、取付孔１０５ａがそれぞれ設けられ、取付部１２のスイッチ部１２１及びＵＳＢ接続ポート１２２は、取付孔１０５ａから露出される。支持部１１は、曲率を有するプレートである。プレートには、少なくとも１つの中空部が設けられる。支持部が有する接続部は、柱体である上、柱体の直径より大きな抜け防止部１１２が上下両端にそれぞれ設けられる。
【００１８】
取付部１２は、２ピース式の構造である上、複数の通気孔１２３を有し、内部が中空状である。取付部１２内にはマイナスイオン発生裝置が設けられ、取付部１２のスイッチ部１２１によりマイナスイオン発生装置のオン／オフを操作するか、取付部１２のＵＳＢ接続ポート１２２により充電又は接続を行う。
【００１９】
実際に使用する際、本考案に係るマスクフレーム１をマスクの内側に設置し、使用者の肌とマスクとの間に、支持部１１によりマスクが押上げられて本体１０に適宜な大きさの空間が形成され、呼吸すると空気が本体１０の左通気孔１００、右通気孔１０１及び貫通孔１０３を介して流動し、取付部１２の通気孔１２３に進入し、取付部１２内のマイナスイオン発生装置により、通気孔１２３から流出され、使用者が快適にマスクを掛けることができる。
【００２０】
当該分野の当業者にとって理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１  マスクフレーム
１０  本体
１１  支持部
１２  取付部
１００  左通気孔
１０１  右通気孔
１０２  サポート部
１０３  貫通孔
１０４  固定部
１０５  収容部
１０５ａ  取付孔
１１０  中空部
１１１  接続部
１１２  抜け防止部
１２１  スイッチ部
１２２  ＵＳＢ接続ポート
１２３  通気孔
【図１】
0003235287.tif 000003
【図２】
0003235287.tif 000004
【図３】
0003235287.tif 000005
【図４】
0003235287.tif 000006
【図５】
0003235287.tif 000007
【図６】
0003235287.tif 000008
【図７】
0003235287.tif 000009